(57)【要約】【課題】簡単かつ容易に、しかも乳幼児などに独特の雰囲気を正確に表現できる手形を印刷する。【解決手段】手形の印刷方法は、手のひらを透明板２の表面に押しつける状態で、透明板２を介して手のひら側をデジタルカメラ１で撮影する撮影工程と、この撮影工程で撮影された手のデジタル画像から手の輪郭に沿って切り取り処理する切り取り工程と、切り取り工程で切り取られた手形のコントラストを調整すると共に、明暗を反転して手形をモノトーンに変換するコントラスト変換工程、コントラスト変換工程で得られたモノトーンの手形を印刷するプリント工程とからなる。【選択図】図１
2009021958.tif 000002
【特許請求の範囲】
【請求項１】
手のひらを透明板(2)の表面に押しつける状態で、透明板(2)を介して手のひら側をデジタルカメラ(1)で撮影する撮影工程と、この撮影工程で撮影された手のデジタル画像から手の輪郭に沿って切り取り処理する切り取り工程と、切り取り工程で切り取られた手形のコントラストを調整すると共に、明暗を反転して手形をモノトーンに変換するコントラスト変換工程、コントラスト変換工程で得られたモノトーンの手形を印刷するプリント工程とからなる手形の印刷方法。
【請求項２】
切り取り工程において、撮影工程で撮影されたデジタル画像の手をモニタ(3)に表示し、モニタ(3)に表示された手の輪郭に沿って手形を切り取りする請求項１に記載される手形の印刷方法。
【請求項３】
切り取り工程において、撮影工程で撮影されたデジタル画像から背景を検出し、検出された背景から手形を切り取りする請求項１に記載される手形の印刷方法。
【請求項４】
印刷する手形が乳幼児の手形である請求項１に記載される手形の印刷方法。
【請求項５】
誕生した乳児の氏名を印刷しており、かつ乳児の出産体重の米を入れている出産祝い返礼用の米袋(4)に手形を印刷する請求項１に記載される手形の印刷方法。
【請求項６】
写真紙に手形を印刷する請求項１に記載される手形の印刷方法。
【発明の詳細な説明】
【技術分野】
【０００１】
本発明は、手形を印刷する方法に関し、とくに乳幼児に独特の雰囲気を正確に印刷できる手形の印刷方法に関する。
【背景技術】
【０００２】
白黒のモノトーンの手形は、手のひらに墨を付け、これを紙に押し付けて取ることができる。この方法で得られる手形は、乳幼児に独特の雰囲気を表すことができない。乳幼児と大人の手形は大きさのみが異なるのではなく、乳幼児の手形には乳幼児に独特の雰囲気があり、大人の手形に比べて小さいことに加えて、ふっくらとぷよぷよした感じがあるが、この雰囲気が表されないからである。とくに、この方法で得られる手形は、指の部分が細くなって大人の手形に近い状態となる。それは、丸い手の指の輪郭が手形として表されないからである。
【０００３】
ところで、デジタルカメラと画像処理で、手の輪郭から指の状態を判定する手の状態検出装置は開発されている。（特許文献１参照）
この方法は、手をカメラで撮影した画像から、デジタル処理して手領域を抽出して、手領域を横切る平行線を設定し、その後、検出部でもって、それら平行線それぞれの画素列を探索し、手領域の輪郭とその画素列との交点の画素を求め、それぞれの画素列について、両端の交点の間の画素数、交点の数、および／または、両端の交点の間の画素数に対する、その画素列の手領域部分の画素数の合計の割合に基づいて手の指の状態を判定して、手の状態を検出する。
この方法は、手の輪郭を検出することはできるが、手の表面にある線、たとえば指の間接にできるシワの線などをモノトーンで表現できず、たとえば乳幼児に独特の手形を表現できない。
【特許文献１】特開平１１−２５２６０号公報
【発明の開示】
【発明が解決しようとする課題】
【０００４】
本発明は、さらに以上の欠点を解決することを目的に開発されたものである。本発明の重要な目的は、簡単かつ容易に、しかも乳幼児などに独特の雰囲気を正確に表現できる手形を印刷する方法を提供することにある。
【課題を解決するための手段】
【０００５】
本発明の手形の印刷方法は、手のひらを透明板２の表面に押しつける状態で、透明板２を介して手のひら側をデジタルカメラ１で撮影する撮影工程と、この撮影工程で撮影された手のデジタル画像から手の輪郭に沿って切り取り処理する切り取り工程と、切り取り工程で切り取られた手形のコントラストを調整すると共に、明暗を反転して手形をモノトーンに変換するコントラスト変換工程、コントラスト変換工程で得られたモノトーンの手形を印刷するプリント工程とからなる。
【０００６】
本発明の請求項２の手形の印刷方法は、切り取り工程において、撮影工程で撮影されたデジタル画像の手をモニタ３に表示し、モニタ３に表示された手の輪郭に沿って手形を切り取りする。
【０００７】
本発明の請求項３の手形の印刷方法は、切り取り工程において、撮影工程で撮影されたデジタル画像から背景を検出し、検出された背景から手形を切り取りする。
【０００８】
本発明の請求項４の手形の印刷方法は、印刷する手形を乳幼児の手形としている。
【０００９】
本発明の請求項５の手形の印刷方法は、出産祝い返礼用の米袋４に手形を印刷する。この出産祝い返礼用の米袋４は、誕生した乳児の氏名を印刷すると共に、乳児の出産体重の米を入れている
【００１０】
さらに、本発明の請求項６の手形の印刷方法は、写真紙に手形を印刷する。
【発明の効果】
【００１１】
本発明の手形の印刷方法は、簡単かつ容易に、しかも乳幼児などに独特の雰囲気を正確に表現しながら手形を印刷できる特徴がある。それは、本発明の印刷方法が、手のひらを透明板の表面に押しつけて、透明板の側からデジタルカメラで撮影し、撮影された手のデジタル画像から手の輪郭に沿って切り取り、切り取られた手形のコントラストを調整すると共に明暗を反転して、たとえば白黒のモノトーンに変換して印刷するからである。とくに、本発明の印刷方法は、手形を透明板に密着される面のみでなく、密着面よりも大きく手の輪郭の大きさで印刷しなから、手のひらにある指の間接や手相の線などを、手に墨を付けてとる手形と同じようにモノトーンで印刷できる特徴がある。さらに、本発明の方法は、コントラスト変換工程で明暗を反転することから、撮影工程で得られる手形を単にコントラストを調整して印刷する方法では実現できない、手に墨を付けて取った手形と同じように、たとえば、手のひらにある手相の線などを白線として他の部分を黒とするモノトーンで印刷できる。しかも、墨を押しつけた方法では実現できない、乳幼児に独特の雰囲気に印刷できる特徴がある。それは、手のひらの線をモノトーンで印刷しながら、墨を押しつける方法では墨を付けることができいな手の輪郭の手形を印刷できるからである。とくに、本発明は、墨を付けて押しつける方法では実現できない乳幼児等の個人に独特の雰囲気を正確に表した手形として印刷できる。
【００１２】
本発明の請求項２の手形の印刷方法は、切り取り工程において、撮影工程で撮影されたデジタル画像の手をモニタに表示し、モニタに表示された手の輪郭に沿って手形を切り取りする。この方法によると、背景を特定色として手を撮影する必要がなく、撮影を簡単にできる。それは、モニタを見て手と背景を識別できるからである。
【００１３】
また、本発明の請求項３の手形の印刷方法は、切り取り工程において、撮影工程で撮影されたデジタル画像から背景を検出し、検出された背景から手形を切り取りする。この方法は、手形を演算処理して輪郭から切り取りするので、迅速に輪郭で切り取りできる。
【００１４】
さらに、本発明の請求項４の手形の印刷方法は、印刷する手形を乳幼児の手形とするので、乳幼児に独特の雰囲気で正確に印刷できる特徴がある。
【００１５】
また、本発明の請求項５の手形の印刷方法は、誕生した乳児の氏名を印刷しており、かつ乳児の出産体重の米を入れている出産祝い返礼用の米袋に手形を印刷する。この方法は、乳児の出産祝いのお礼の米袋に、誕生した乳児の氏名と、出産体重の米に加えて、乳児に独特のかわいい手形を印刷して、米袋の受取人に出産した乳児の印象を強く与えることができる。
【００１６】
さらにまた、本発明の請求項６の手形の印刷方法は、写真紙に手形を印刷するので、これを額などに入れて記念の手形として保存し、また飾ることができる。
【発明を実施するための最良の形態】
【００１７】
以下、本発明の実施例を図面に基づいて説明する。ただし、以下に示す実施例は、本発明の技術思想を具体化するための手形の印刷方法を例示するものであって、本発明は手形の印刷方法を以下に特定しない。
【００１８】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１９】
本発明の手形の印刷方法は、図１に示すように手を撮影する撮影工程と、図２に示すように撮影された手を輪郭に沿って切り取りする切り取り工程と、図３に示すように手形のコントラストを調整するコントラスト変換工程と、図４に示すように手形を印刷するプリント工程とで手形を印刷する。
【００２０】
［撮影工程］
図１の撮影工程は、手のひらを透明板２の表面に押しつける状態で、透明板２を介して手のひら側をデジタルカメラ１で撮影する。デジタルカメラ１は、撮影した手の画像信号をデジタル画像信号としてメモリに記憶する。透明板２には、透明のガラス板やプラスチック板を使用する。手は透明板２に強く押しつける必要はない。手を広げる状態として、手のひら側から撮影できる程度に透明板２に押しつける。撮影される手の背景は、好ましくは複雑な形状とならないように、手の後ろに単色のシートや板を配置する。ただし切り取り工程で、撮影された手をモニタに表示して手の輪郭に沿って手動で切り取りする方法は、切り取りする者が手をモニタで確認して輪郭を簡単に識別できるので、必ずしも背景を簡単な形状とする必要はない。切り取り工程において、手の輪郭をデジタル処理によって識別して切り取りする方法は、手の後ろに単色のシートや板を配置して背景を単色とする。とくに、この切り取り工程は、背景色を手の色と異なる色の背景色、たとえば青色として、デジタル処理で手の輪郭を簡単に確実に識別できる。それは、背景色が特定されるので、背景を色で識別できるからである。
【００２１】
［切り取り工程］
図２の切り取り工程は、撮影工程で撮影されたデジタル画像信号をモニタ３に出力して、モニタ３に手を表示する。モニタ３は、背景を切り取りするソフトウェアが動作しているコンピュータに接続している。作業者は、モニタ３に表示された手を見て、手と背景を識別し、たとえばマウスを使用して、背景の切り取り線を手の輪郭に沿って移動して、手形を背景から切り取りする。この方法は、モニタ３に表示される手形を切り取りするので、背景にかかわらず手形を確実に切り取りできる。
【００２２】
ただし、この切り取り工程は、撮影工程で撮影されたデジタル画像信号から背景を検出し、検出された背景から手形を切り取りすることもできる。この方法は、たとえばテレビのクロマキー方法を利用して背景を切り取りすることができる。クロマキー方法は、特定している背景色を認識し、背景色の領域を背景と認識して手形と背景を識別する。この方法は、撮影工程で背景を特定の色、たとえば青色として撮影する。背景色を青色として撮影されデジタル画像信号は、青色領域を背景として、手形を簡単に切り取りできる。
【００２３】
［コントラスト変換工程］
手形は中間色を表示しないモノトーンで印刷される。モノトーンの印刷は単色の印刷であって、白部分と黒部分の印刷、あるいは赤部分と白部分のように、着色する部分と着色しない部分からなる印刷である。したがって、このコントラスト変換工程は、カラー画像からなるデジタル画像信号を、たとえば、白黒等の単色信号に変換する。さらに、コントラスト変換工程は、中間色を所定のレベルから印刷領域と非印刷領域に分離してモノトーンの手形に変換する。さらにまた、このコントラスト変換工程は、図３に示すように、デジタル画像信号の明暗を反転する。それは、手を撮影したデジタル画像信号は、手のひらの凹部を暗色としているからである。
【００２４】
墨を付けた手のひらを紙に押しつけて取られる通常の手形は白黒のモノトーンとなり、また赤塗料を付けた手のひらを紙に押しつけて取られる手形は白と赤のモノトーンとなるが、本発明の印刷方法は、この方法と同じように、白黒や白赤のモノトーンで印刷する。したがって、このコントラスト変換工程は、白黒などの単色に変換した後、中間色を所定の明るさから印刷領域と非印刷領域に分離してモノトーンに変換し、さらに明暗を反転する。中間色を印刷領域と非印刷領域に分離するレベルをコントロールして、手形に表される線の領域、すなわち非印刷領域を調整する。中間色を印刷領域と非印刷領域に分離するレベルは、手形に表示される非印刷領域が最適となる明るさにコントロールされる。
【００２５】
［プリント工程］
この工程は、図４に示すように、コントラスト変換工程で得られた白と黒等のモノトーンの手形を印刷する。プリント工程は、単色で印刷するが印刷する色は選択される。印刷色を黒として、白黒のモノトーンで印刷され、また、印刷する色を赤にして白と赤のモノトーンで印刷される。このプリント工程は、単色の印刷インクを印刷領域と非印刷領域とに印刷してモノトーンに印刷する。図４は、誕生した乳児の氏名を印刷しており、かつ乳児の出産体重の米を入れている出産祝い返礼用の米袋４に手形を印刷している。米袋４には、好ましくは赤や橙色のモノトーンで手形を印刷する。ただし、プリント工程は、写真紙に手形を印刷することもできる。
【図面の簡単な説明】
【００２６】
【図１】本発明の一実施例にかかる手形の印刷方法の撮影工程を示す図である。
【図２】本発明の一実施例にかかる手形の印刷方法の切り取り工程を示す図である。
【図３】本発明の一実施例にかかる手形の印刷方法のコントラスト変換工程を示す図である。
【図４】本発明の一実施例にかかる手形の印刷方法のプリント工程を示す図である。
【符号の説明】
【００２７】
１…デジタルカメラ
２…透明板
３…モニタ
４…米袋
【図１】
2009021958.tif 000003
【図２】
2009021958.tif 000004
【図３】
2009021958.tif 000005
【図４】
2009021958.tif 000006